(57)【要約】【課題】被着体に着用して使用できると共に、着用具から薬剤放散器を簡単に取り外したり取付けでき、この薬剤放散器の薬剤を簡単に交換できると共に、使用時には薬剤放散器が着用具から脱落しないような着用型送風式薬剤放散装置とする。【解決手段】本体１０に送風機１１と薬剤１２を設け、送風機１１を駆動することで薬剤を含む空気を放出口１４から放出する送風式の薬剤放散器１と、この薬剤放散器１を被着体に着用する着用具２を備え、この着用具２は収納部３と着用部４を有し、その収納部３は一側収納部５と他側収納部６をヒンジ７で開放姿勢と閉塞姿勢に回動自在に連結し、開放姿勢とすることで前記本体１０を取り出し、挿入できるようにして、薬剤放散器１の薬剤１２を簡単に交換できると共に、閉塞姿勢とすることで本体１０を収納して保持することで、使用時に薬剤放散器１が着用具２から脱落しないようにした着用型送風式薬剤放散装置。【選択図】図１
2007282578.tif 000002
【特許請求の範囲】
【請求項１】
送風式の薬剤放散器１と、この薬剤放散器１を被着体に着用するための着用具２を備え、
前記送風式の薬剤放散器１は、本体１０に送風機１１と薬剤１２を設け、その送風機１１を駆動することで本体１０の吸込口１３から空気を吸い込み、薬剤を含む空気を放出口１４から放出し、
前記着用具２は、前記薬剤放散器１を収納し、かつ前記放出口１４と連通した出口１５を有する収納部３と、この収納部３を被着体に着用するための着用部４を有し、
前記収納部３は、一側収納部５と他側収納部６を、前記薬剤放散器１の本体１０を収納する閉塞姿勢と、その本体１０を取り出し可能な開放姿勢となるように連結したことを特徴とする着用型送風式薬剤放散装置。
【請求項２】
一側収納部５と他側収納部６をヒンジ７で開放姿勢と閉塞姿勢とに回動自在に連結した請求項１記載の着用型送風式薬剤放散装置。
【請求項３】
着用部４を、一側収納部５に設けた一側着用部８と他側収納部６に設けた他側着用部９を有するものとし、
その着用部４を被着体に着用することで、一側収納部５と他側収納部６に、閉塞姿勢に向かう力が作用するようにした請求項２記載の着用型送風式薬剤放散装置。
【請求項４】
着用具２の着用部４は、収納部３の出口１５と連通した空気流通孔２０と、この空気流通孔２０を大気に放出する放出部２１を有し、本体１０の放出口１４から放出した薬剤を含む空気を放出部２１から大気に放出するようにした請求項１，２，３いずれか１項に記載の着用型送風式薬剤放散装置。
【請求項５】
薬剤放散器１の本体１０に、外面に開口した薬剤収納室１０ｂを形成し、この薬剤収納室１０ｂ内に薬剤１２を挿入して設け、かつ収納部３で脱落しないように保持するようにした請求項１，２，３，４いずれか１項に記載の着用型送風式薬剤放散装置。
【請求項６】
送風式の薬剤放散器１と、この薬剤放散器１を被着体に着用するための着用具２を備え、
前記送風式の薬剤放散器１は、本体１０に送風機１１と薬剤１２を設け、その送風機１１を駆動することで本体１０の吸込口１３から空気を吸い込み、薬剤を含む空気を放出口１４から放出し、前記本体１０は背面に開口した薬剤収納室１０ｂを有し、この薬剤収納室１０ｂに薬剤１２を挿入、抜き出し自在に設け、
前記着用具２は、前記薬剤放散器１を収納し、かつ前記放出口１４と連通した出口１５を有する収納部３と、この収納部３を被着体に着用するための着用部４を有し、
前記収納部３は、一側収納部５と他側収納部６を、前記薬剤放散器１の本体１０に、前記薬剤１２を本体１０から脱落しないように支持する閉塞姿勢と、その薬剤１２を取り出し可能な開放姿勢となるように取付けしたことを特徴とする着用型送風式薬剤放散装置。
【発明の詳細な説明】
【技術分野】
【０００１】
本発明は、送風式の薬剤放散器を着用具を用いて、人、動物、建物、樹木などの被着体に着用して使用する着用型送風式薬剤放散装置に関する。
【背景技術】
【０００２】
従来、送風式の薬剤放散器としては、本体に送風機と薬剤を設け、その送風機を駆動することで本体の吸込口から空気を吸い込み、薬剤を含有した空気を本体の放出口から大気に放出するものが知られている。
この送風式の薬剤放散器はテーブル等の横面に置いて使用されるが、その薬剤放散器を着用バンドを用いて人、動物などに着用して使用することもある。
例えば、特許文献１に開示されたように、送風式の薬剤放散器の本体に着用バンドを設け、その着用バンドを人、動物などに巻きつけて着用して使用する着用型送風式薬剤放散装置が提案されている。
【０００３】
【特許文献１】特開２００４−２４１６１号公報
【発明の開示】
【発明が解決しようとする課題】
【０００４】
前述の着用型送風式薬剤放散装置の薬剤放散器は、本体に薬剤を着脱自在に設け、その薬剤の薬剤効果がなくなった場合には、新しい薬剤と交換できるようにしている。
しかし、前述したように薬剤放散器の本体に着用バンドが設けてあるので、その着用バンドのために薬剤放散器の取り扱いが面倒で、その本体から使用済みの薬剤を取り出して、新しい薬剤を設ける作業が大変やりづらく、前述の薬剤の交換作業が大変面倒で、時間がかかってしまう。
【０００５】
このことを解消するには、薬剤放散器と着用バンドを着脱自在とし、薬剤交換時に薬剤放散器を着用バンドから取り外し、薬剤交換後には再び着用バンドに取付けることが考えられる。
しかしこのようにすると、着用バンドから薬剤放散器を取り外し、取り付けする作業が面倒となってしまう。
【０００６】
本発明の目的は、薬剤放散器の薬剤を簡単に交換できると共に、使用時には振動などで薬剤放散器が着用具から脱落することがないようにした着用型送風式薬剤放散装置とすることである。
【課題を解決するための手段】
【０００７】
第１の発明は、送風式の薬剤放散器１と、この薬剤放散器１を被着体に着用するための着用具２を備え、
前記送風式の薬剤放散器１は、本体１０に送風機１１と薬剤１２を設け、その送風機１１を駆動することで本体１０の吸込口１３から空気を吸い込み、薬剤を含む空気を放出口１４から放出し、
前記着用具２は、前記薬剤放散器１を収納し、かつ前記放出口１４と連通した出口１５を有する収納部３と、この収納部３を被着体に着用するための着用部４を有し、
前記収納部３は、一側収納部５と他側収納部６を、前記薬剤放散器１の本体１０を収納する閉塞姿勢と、その本体１０を取り出し可能な開放姿勢となるように連結したことを特徴とする着用型送風式薬剤放散装置である。
【０００８】
第２の発明は、第１の発明において、一側収納部５と他側収納部６をヒンジ７で開放姿勢と閉塞姿勢とに回動自在に連結した着用型送風式薬剤放散装置である。
【０００９】
第３の発明は、第２の発明において、着用部４を、一側収納部５に設けた一側着用部８と他側収納部６に設けた他側着用部９を有するものとし、
その着用部４を被着体に着用することで、一側収納部５と他側収納部６に、閉塞姿勢に向かう力が作用するようにした着用型送風式薬剤放散装置である。
【００１０】
第４の発明は、第１・第２・第３の発明において、着用具２の着用部４は、収納部３の出口１５と連通した空気流通孔２０と、この空気流通孔２０を大気に放出する放出部２１を有し、本体１０の放出口１４から放出した薬剤を含む空気を放出部２１から大気に放出するようにした着用型送風式薬剤放散装置である。
【００１１】
第５の発明は、第１・第２・第３・第４の発明において、薬剤放散器１の本体１０に、外面に開口した薬剤収納室１０ｂを形成し、この薬剤収納室１０ｂ内に薬剤１２を挿入して設け、かつ収納部３で脱落しないように保持するようにした着用型送風式薬剤放散装置である。
【００１２】
第６の発明は、送風式の薬剤放散器１と、この薬剤放散器１を被着体に着用するための着用具２を備え、
前記送風式の薬剤放散器１は、本体１０に送風機１１と薬剤１２を設け、その送風機１１を駆動することで本体１０の吸込口１３から空気を吸い込み、薬剤を含む空気を放出口１４から放出し、前記本体１０は背面に開口した薬剤収納室１０ｂを有し、この薬剤収納室１０ｂに薬剤１２を挿入、抜き出し自在に設け、
前記着用具２は、前記薬剤放散器１を収納し、かつ前記放出口１４と連通した出口１５を有する収納部３と、この収納部３を被着体に着用するための着用部４を有し、
前記収納部３は、一側収納部５と他側収納部６を、前記薬剤放散器１の本体１０に、前記薬剤１２を本体１０から脱落しないように支持する閉塞姿勢と、その薬剤１２を取り出し可能な開放姿勢となるように取付けしたことを特徴とする着用型送風式薬剤放散装置である。
【発明の効果】
【００１３】
第１の発明によれば、一側収納部５と他側収納部６を閉塞姿勢とすれば、薬剤放散器１を着用具２に収納して支持できるし、その一側収納部５と他側収納部６を開放姿勢とすれば、薬剤放散器１を着用具２から取り外しできるので、着用具２から薬剤放散器１を簡単に取り外したり、取付けして薬剤１２を簡単に交換できると共に、使用時には振動などで薬剤放散器１が着用具１から脱落することがない。
【００１４】
第２の発明によれば、一側収納部５と他側収納部６がヒンジ７で連結されているから、開放姿勢とした時に一側収納部５と他側収納部６が分離することがなく、着用具２の取り扱いが容易である。
【００１５】
第３の発明によれば、着用して使用している時に、一側収納部５と他側収納部６が閉塞姿勢に保持されるので、薬剤放散器１が収納部３から脱落することを確実に防止できる。
【００１６】
第４の発明によれば、着用部４から薬剤を含む空気を大気に放出するので、被着体の着用部４を着用した部分の周辺に薬剤を含む空気を集中的に放散することが可能で、その部分の薬剤効果を十分なものとすることができる。
【００１７】
第５の発明によれば、本体１０の薬剤収納部１０ｂに薬剤１２を挿入して設けただけであるから、その本体１０を収納部３から取り出すことで、薬剤１２を簡単に取り出しでき、その薬剤１２を簡単に交換できる。
また、使用時に薬剤１２が脱落することがない。
【００１８】
第６の発明によれば、一側収納部５と他側収納部６を開放姿勢とすることで、本体１０から薬剤１２を簡単に取出したり、設けたりできるから、薬剤１２の交換が簡単である。
また、一側収納部５と他側収納部６を閉塞姿勢とすることで薬剤１２を本体１０から脱落しないように支持できる。
また、一側収納部５、他側収納部６は本体１０に取付けてあるから、使用時に振動などで薬剤放散器１が着用具２から脱落することがない。
【発明を実施するための最良の形態】
【００１９】
図１、図２、図３に示すように、送風式の薬剤放散器１と、この薬剤放散器１を被着体に着用するための着用具２で着用型送風式薬剤放散装置としてある。
前記着用具２は、前記薬剤放散器１を取り出し可能に収納する収納部３と、この収納部３を被着体に着用するための着用部４を有する。
前記収納部３は一側収納部５と他側収納部６をヒンジ７で開放姿勢と閉塞姿勢に回動自在に連結したものである。
前記着用部４は一側収納部５に設けた一側着用部８と、前記他側収納部６に設けた他側着用部９を有する。
【００２０】
前記一側収納部５と他側収納部６をヒンジ７を支点として離れる方向に揺動することで図１に仮想線で示すように開放姿勢となり、薬剤放散器１を取り出し、挿入自在である。
前記一側収納部５と他側収納部６をヒンジ７を支点として接近する方向に揺動することで、図１に実線で示す閉塞姿勢となり、薬剤放散器１を収納して保持する。
前記着用部４で収納部３を被着体に着用すると、一側収納部５と他側収納部６はヒンジ７を支点として接近する方向に揺動する力が作用し、閉塞姿勢で保持するので、被着体に着用して使用する際に、収納部３に収納された薬剤放散器１が脱落することがない。
【００２１】
例えば、前記一側着用部８を一側バンド、他側着用部９を他側バンドとして前記着用部４を着用バンドとし、その着用バンドを図１の仮想線で示すように使用者の手首に巻きつけて着用することで、一側収納部５と他側収納部６はヒンジ７を支点として接近する方向に揺動する力が作用し、閉塞姿勢で保持される。
【００２２】
次に、各部材の具体形状を説明する。
前記送風式の薬剤放散器１は、図４に示すように本体１０と、その本体１０に設けた送風機１１と薬剤１２を備え、その送風機１１を駆動することで本体１０の吸込口１３から空気を吸い込み、薬剤を含む空気を放出口１４から大気に放出するものである。
前記本体１０は送風機収納室１０ａ、薬剤収納室１０ｂ、電池収納室１０ｃを有し、その送風機収納室１０ａに放出口１４が開口連通している。
【００２３】
前記薬剤収納室１０ｂは本体１０の外面に開口して薬剤１２を設けたり、取り出したりできると共に、その薬剤収納室１０ｂの開口部が前述の吸込口１３である。
前記薬剤収納室１０ｂの開口部は収納部３で閉塞されて使用時に薬剤１２が脱落しないようにしてある。
このようであるから、薬剤放散器１を収納部３から取り出しすることで、本体１０から薬剤１２を簡単に取り出したり、新しい薬剤を設けたりできる。
【００２４】
前記送風機１１はモータ１１ａでファン１１ｂを回転するもので、そのファン１１ｂが回転することで吸込口１３から空気を吸い込み、放出口１４から吐出する。
前記薬剤１２は、通気部を有する容器１２ａに薬剤含浸プレート１２ｂを設け、通気部を有する押さえリング１２ｃで保持したもので、その容器１２ａを前記薬剤収納室１０ｂ内に挿入して設ける。
【００２５】
前記一側収納部５、他側収納部６は図４、図５に示すように、半円形状の周面板５ａ，６ａと正面板５ｂ，６ｂを有する。その正面板５ｂ，６ｂがヒンジ７で連結されて下面が開口したほぼ容器形状としてある。
この実施の形態では、一側収納部５、他側収納部６は樹脂成形品で、その正面板５ｂ，６ｂにヒンジ７が一体的に設けてある。
前記各周面板５ａ，６ａには出口１５が形成され、一側収納部５、他側収納部６が閉塞姿勢の時に出口１５と放出口１４が連通するようにしてある。
前記各周面板５ａ，６ａの下部に内向きの支持片１６が設けてある。前記一側収納部５、他側収納部６が閉塞姿勢の時に、この支持片１６上に本体１０の下面が接して本体１０を支持する。
前記各周面板５ａ，６ａの下部に着用部取付穴１７が形成され、前記一側着用部８、他側着用部９がそれぞれ取付けられる。
前記各正面板５ｂ，６ｂに吸気用孔１８が形成されて、前記吸込口１３に空気が吸い込みされるようにしてある。
この実施の形態ではヒンジ７にも吸気用孔１８が形成してある。
【００２６】
前記一側収納部５と他側収納部６には、閉塞姿勢の時に相互に係合して離れる方向に揺動し難くする係合手段１９が設けてある。
例えば、図５に示すように一側収納部５の周面板５ａの開口端部に係止片１９ａを設け、他側収納部６の周面板６ａの開口縁に係止受片１９ｂを設け、その係止片１９ａを係止受片１９ｂに嵌合するようにして係合する。
この係合手段１９は、舌片と凹部や凹凸、係り止め、止めピンなどを用いてもよいが、必ずしも強固な係合手段としなくとも良い。
【００２７】
次に、本発明の第２の実施の形態を図６に基づいて説明する。
この実施の形態は、薬剤放散器１の放出口１４から放出された薬剤を含む空気を着用部４から大気に放出するようにしたことが前述の実施の形態と相違し、他の構成は同様である。
図６に示すように、一側着用部８、他側着用部９に、前記出口１５と連通した空気流通孔２０を長手方向に連続して形成すると共に、その一側着用部８、他側着用部９に、その空気流通孔２０を流通する空気を大気に放出する放出部２１を形成する。
この放出部２１は、長手方向に間隔を置いた複数の孔２１ａとしてあるが、スリット等でも良い。
この実施の形態では、一側着用部８、他側着用部９を一側収納部５、他側収納部６と一体としてあるが、別体として着脱自在に取付けるようにしても良い。
【００２８】
前述のようにすれば、着用部４のほぼ全長から薬剤を含む空気を大気に放出することができるので、着用部４を被着体に巻きつけて着用して使用する際に、その被着体の巻きつけた部分の周辺から薬剤を含む空気を放出できるので、その被着体における着用部４を巻きつけた部分の周辺の薬剤効果を十分なものとすることができる。
【００２９】
前述の各実施の形態では、収納部３の正面（上面）から空気を吸い込むようにしたが、収納部３の背面（下面）から空気を吸い込むようにしても良い。
例えば、図７、図８に示すように本体１０の薬剤収納室１０ｂを背面に開口し、その吸込口１３を背面に開口する。この場合に薬剤１２が支持片１６に接しないことがあるので、通気部を有するプレート１２ｄを設け、そのプレート１２ｄを支持片１６に接する。
【００３０】
この場合には、電池収納室１０ｃを本体１０の正面部（上部）に設けるので、一側収納部５、他側収納部６の正面板５ｂ，６ｂに切欠部５ｃ，６ｃを形成し、その切欠部５ｃ，６ｃの間から電池収納室１０ｃが上方に突出するようにする。これによって、収納部３の上下寸法を小さくできる。
また、ヒンジ７は切欠部５ｃ，６ｃの両側方部分にそれぞれ設ける。
【００３１】
図７、図８に示す実施の形態では、一側着用部８、他側着用部９を一側収納部５、他側収納部６に一体的に設けると共に、空気流通孔２０と放出部２１を形成したが、これに限ることはなく、図１〜図３に示すと同様に一側着用部８、他側着用部９を収納部３と別体として取付けると共に、収納部３の出口１５から薬剤を含む空気を大気に直接放出するようにしても良い。
【００３２】
また、以上の各実施の形態では、一側収納部５と他側収納部６の対向面間に隙間を形成したが、この隙間の大きさは任意であるし、その隙間がなくとも良い。
【００３３】
また、以上の各実施の形態では、着用具２の着用部４を着用バンドとして使用者の手首などの被着体に巻きつけて着用するようにしたが、これに限ることはない。
例えば、着用具２を紐状として使用者の首などの被着体に吊り下げて着用するようにしても良い。
【００３４】
前述の吊り下げて着用する実施の形態を図９〜図１１に基づいて説明する。
送風式の薬剤放散器１は図１１に示すように前述と同様である。
着用具２の収納部３を形成する一側収納部５、他側収納部６は周面板５ａと正面板５ｂと背面板５ｄで左右一側面が開口した箱形状で、収納凹部５ｅ，６ｅを有する。
前記一側収納部５と他側収納部６はヒンジ７で図９に実線で示す閉塞姿勢と図９に仮想線で示す開放姿勢とに亘って回動自在に連結されている。
前記着用具２の着用部４の一側着用部８の一端部は一側収納部５に設けてある。他側着用部９の一端部は他側収納部６に設けてある。この一側着用部８の他端部と他側着用部９の他端部は連結、例えば一体に連結している。
【００３５】
そして、着用部４を使用者の首などの被着体に掛け回して吊り下げることで、一側収納部５と他側収納部６とには閉塞姿勢に向けて回動する力が作用し、閉塞姿勢で保持する。
つまり、一側収納部５の下部と他側収納部６の下部とをヒンジ７で連結し、一側収納部５の上部寄りに一側着用部８を上向きに取付け、他側収納部６の上部寄りに他側着用部９を上向きに取付ける。
【００３６】
前記薬剤放散器１の本体１０は、閉塞姿勢における一側収納部５の収納凹部５ｅと他側収納部６の収納凹部６ｅに嵌まり込むようにして収納部３内に収納される。
この本体１０の背面側に薬剤収納部１０ｂが形成されて薬剤１２は背面側に設けてあると共に、電池収納室１０ｃは正面側に設けてある。
前記一側収納部５の背面板５ｄ、他側収納部６の背面板６ｄ（つまり、収納部３の背面）に吸気用孔１８がそれぞれ形成され、この吸気用孔１８から吸込口１３に空気を吸い込むようにしてある。
【００３７】
前記一側収納部５、他側収納部６には出口１５が本体１０の放出口１４と連通して形成してある。
この各出口１５は、各周面板５ａ，６ａに設けた突部５ｆ，６ｆの上面に開口している。
前記一側着用部８、他側着用部９は空気流通孔２０と放出部２１を有し、各一端部が前記各出口１５に接続して設けてある。
【００３８】
このようであるから、使用者の首などの被着体に吊り下げて使用する際に、薬剤放散器１の放出口１４から放出された薬剤を含む空気は、一側・他側着用部８，９の空気流通孔２０、放出部２１から被着体の周辺に流れ、その被着体の周辺の薬剤効果を十分なものとすることができる。
【００３９】
前記一側収納部５と他側収納部６に亘って係合手段１９が設けてある。
例えば、一側収納部５に係止片１９ｃ、他側収納部６に係止突部１９ｄを設け、閉塞姿勢の時に係止片１９ｃの穴が係止突部１９ｄに嵌合して係止するようにする。
【００４０】
この実施の形態は、背面側から空気を吸い込むようにしたが、正面側から空気を吸い込むようにしても良い。
例えば、図４に示すと同様に本体１０の正面側に薬剤１２を設け、一側収納部５、他側収納部６の正面板５ｂ，６ｂに吸気用孔１８を形成する。
また、一側着用部８、他側着用部９をロープ、紐などの吊り下げ用紐状体とし、本体１０に連結して、収納部３の出口１５から薬剤を含む空気を、直接大気に放出するようにしても良い。
【００４１】
前述の各実施の形態では、一側収納部５と他側収納部６を着用状態で閉塞姿勢に向かう力が作用するようにヒンジ７で連結したが、これに限ることはない。
例えば図１２と図１３に示すように、被着体に巻きつけて着用するタイプの場合には一側収納部５と他側収納部６をヒンジ７で、着用部４の長手方向に向けて閉塞姿勢と開放姿勢とに亘って回動自在に連結する。
前記ヒンジ７と反対側に係止手段１９を設け、この係止手段１９で一側収納部５と他側収納部６が開放姿勢に向けて回動し難くして閉塞姿勢で保持する。
【００４２】
この実施の形態では、一側着用部８、他側着用部９を空気流通孔２０と放出部２１を有し、着用部４から薬剤を含む空気を放出するものとして被着体の周辺に薬剤が多量に流れるようにしたが、これに限ることはなく、収納部３の出口１５から薬剤を含む空気を直接大気に放出するようにしても良い。
【００４３】
また、この実施の形態では図８に示すと同様に、本体１０の背面側に薬剤を設けて吸込口１３を背面側とし、電池収納室１０ｃを正面側に設けたが、図４に示すと同様に本体１０の正面側に薬剤を設けて吸込口１３を正面側とし、電池収納室１０ｃを背面側に設けても良い。
【００４４】
前記被着体に吊り下げて着用するタイプの場合には、図１４、図１５に示すように、一側収納部５の正面板５ｂと他側収納部６の正面板６ｂとに亘ってヒンジ７を設けて正面、背面方向に回動自在とする。
一側収納部５の周面板５ａと他側収納部６の周面板６ａの上下に係止手段１９をそれぞれ設ける。
この係止手段１９は、係止片１９ｃと、その係止片１９ｃが嵌まり合う凹部１９ｅに設けた突部１９ｄを備え、その係止片１９ｃの穴を突部１９ｄに嵌合することで連結する。
【００４５】
この実施の形態では、一側着用部８、他側着用部９を空気流通孔２０と放出部２１を有し、着用部４から薬剤を含む空気を放出するものとして被着体の周辺に薬剤が多量に流れるようにしたが、これに限ることはなく、収納部３の出口１５から薬剤を含む空気を直接大気に放出するようにしても良い。
【００４６】
また、この実施の形態では図８に示すと同様に、本体１０の背面側に薬剤を設けて吸込口１３を背面側とし、電池収納室１０ｃを正面側に設けたが、図４に示すと同様に本体１０の正面側に薬剤を設けて吸込口１３を正面側とし、電池収納室１０ｃを背面側に設けても良い。
【００４７】
以上の各実施の形態では、一側収納部５と他側収納部６をヒンジ７で回動自在に連結したが、これに限ることはなく、一側収納部５と他側収納部６を着脱自在としても良い。
例えば、被着体に巻きつけて着用するタイプの場合には、図１６と図１７に示すように、一側収納部５と他側収納部６を周面板５ａ，６ａと正面板５ｂ，６ｂと背面板５ｄ，６ｄで収納凹部５ｅ，６ｅを有する形状とする。
前記一側収納部５と他側収納部６との一方、例えば一側収納部５に筒形状の突出部５ｇを設け、この突出部５ｇを他側収納部６の収納凹部６ｅの開口縁に嵌合するようにする。
前記一側収納部５と他側収納部６とに亘って係止手段１９を設け、その係止手段１９で一側収納部５と他側収納部６が外れ難くする。
【００４８】
このようにすれば、一側収納部５と他側収納部６を嵌合して連結することで、前述の閉塞姿勢となる。
前記一側収納部５と他側収納部６を分離することで、前述の開放姿勢となる。
【００４９】
この実施の形態では、一側着用部８、他側着用部９を空気流通孔２０と放出部２１を有するものとして、被着体の着用部分の周辺に薬剤を含む空気を放出するようにしてあるが、これに限ることはなく、前述と同様に収納部３の出口１５から薬剤を含む空気を大気に直接放出するようにしても良い。
【００５０】
また、一側収納部５、他側収納部６の正面板５ｂ，６ｂに吸気用孔１８を形成して正面側から空気を吸い込むようにしたが、背面板５ｄ，６ｄに吸気用孔１８を形成して背面側から空気を吸い込むようにしても良い。
【００５１】
また、吊り下げタイプの場合も同様に構成することができることは勿論である。
【００５２】
前述のヒンジ７は一側収納部５と他側収納部６に一体的に設けたが、そのヒンジ７を別体としてビスなどの固着具で一側収納部５、他側収納部６に固着して取付けるようにしても良い。
【００５３】
本発明の着用型送風式薬剤放散装置を着用して使用する被着体は、特に限定されることはなく、人（使用者）、動物の身体の他に、家屋、家畜舎、倉庫、ペット小屋、製造現場、営業現場、病院などの支柱、壁面、天井面など、また自動車などの輸送車体の壁面など、また屋外などの樹木の幹や枝などが例示され、これらの被着体に着用具２の着用部４を巻きつけて使用したり、又は吊り下げて使用する。
【００５４】
以上の各実施の形態では、収納部３の一側収納部５と他側収納部６を閉塞姿勢と開放姿勢となるように連結し、その収納部３に薬剤放散器１を収納したり、取り出しするようにしたが、その一側収納部５、他側収納部６を薬剤放散器１の本体１０に閉塞姿勢と開放姿勢となるように取付け、その一側収納部５、他側収納部６を閉塞姿勢とした時に本体１０から薬剤１２が脱落しないように支持し、開放姿勢とした時には本体１０から薬剤１２を取り出しできるようにしても良い。
つまり収納部３を、薬剤１２を本体１０内に支持するものとする。
【００５５】
例えば、被着体に巻きつけて使用するタイプの場合には図１８、図１９に示すように、図７、図８に示すヒンジ７を、一側羽根７ａと他側羽根７ｂを軸７ｃで連結した蝶番とし、その一側羽根７ａを一側収納部５の正面板５ｂに固着具７ｄで固着すると共に、他側羽根７ｂを他側収納部６の正面板６ｂに固着具７ｄで固着する。
前記軸７ｃを本体１０の正面にブラケット７ｅで取付けることで、一側収納部５と他側収納部６を本体１０に閉塞姿勢と開放姿勢となるように取付ける。
【００５６】
前記本体１０の薬剤収納室１０ｂを図１９に示すように、本体１０の背面に開口し、その薬剤収納室１０ｂに薬剤１２を挿入、抜き出し自在として薬剤１２を本体１０に着脱自在とする。
そして、一側収納部５と他側収納部６を閉塞姿勢とすると、図１９に示すように本体１０から薬剤１２が脱落しないように支持する。図１９においてはプレート１２ｄを支持片１６で支持して薬剤１２が脱落しないように支持している。
前記一側収納部５と他側収納部６を開放姿勢とすることで、薬剤１２を支持しなくなり、本体１０の薬剤収納室１０ｂから薬剤１２を取り出し、新しい薬剤１２を挿入することができる。
したがって、薬剤１２の交換作業が簡単である。
【００５７】
この実施の形態においても前述と同様に、着用部４の一側着用部８、他側着用部９から薬剤を含む空気を大気に放出するようにしても良いし、収納部３の出口１５から薬剤を含む空気を直接に大気へ放出するようにしても良い。
また、被着体に着用した時に一側収納部５と他側収納部６に閉塞姿勢に向かう力が作用するようにしても良い。
【００５８】
また、被着体に吊り下げて使用するタイプの場合には図２０に示すように、前述した図９に示すヒンジ７を、前述のように一側羽根７ａと他側羽根７ｂを軸７ｃで連結した蝶番とする。
前記一側羽根７ａを一側収納部５の周面板５ａの下部寄りに固着具で固着し、他側羽根７ｂを他側収納部６の周面板６ａの下部寄りに固着具で固着する。
前記軸７ｃを本体１０の下部にブラケットで取付けることで、一側収納部５、他側収納部６を本体１０に閉塞姿勢と開放姿勢とになるように取付ける。
【００５９】
そして、本体１０の薬剤収納室１０ｂを背面に開口して薬剤１２を挿入、抜き出し自在とし、一側収納部５と他側収納部６が閉塞姿勢の時には本体１０から薬剤１２が脱落しないように支持し、開放姿勢の時には支持せずに薬剤１２を取り出しできるようにする。
【００６０】
この実施の形態においても前述と同様に、着用部４の一側着用部８、他側着用部９から薬剤を含む空気を大気に放出するようにしても良いし、収納部３の出口１５から薬剤を含む空気を直接に大気へ放出するようにしても良い。
また、被着体に着用した時に一側収納部５と他側収納部６とに閉塞姿勢に向かう力が作用するようにしても良い。
【００６１】
本発明の着用型送風式薬剤放散装置を着用して使用する被着体は、特に限定されることはなく、人（使用者）、動物の身体の他に、家屋、家畜舎、倉庫、ペット小屋、製造現場、営業現場、病院などの支柱、壁面、天井面など、また自動車などの輸送車体の壁面など、また屋外などの樹木の幹や枝などが例示され、これらの被着体に着用具２の着用部４を巻きつけて使用したり、又は吊り下げて使用する。
【００６２】
また、着用具２の着用部４は、材質、形状などが特に限定されず、例えば、皮革、布、織物、金属、合成樹脂などの材質を用いることができ、特に柔軟弾力性を有する材質が好ましい。形状としては帯状、鎖状、紐状などとすることができ、それらの空洞体とすることで空気流通孔を有するものにできる。
【００６３】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして上記の薬剤で、殺虫を目的として使用する場合、従来より用いられている各種揮散性殺虫剤を用いることができ、ピレスロイド系殺虫剤、カーバメート系殺虫剤、有機リン系殺虫剤等が挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【図面の簡単な説明】
【００６４】
【図１】本発明の第１の実施の形態を示す全体側面図である。
【図２】本発明の第１の実施の形態を示す収納部部分の正面図である。
【図３】本発明の第１の実施の形態を示す収納部部分の背面図である。
【図４】本発明の第１の実施の形態を示す収納部と薬剤放散器の断面図である。
【図５】本発明の第１の実施の形態を示す収納部の横断面図である
【図６】本発明の第２の実施の形態を示す全体側面図である。
【図７】本発明の第３の実施の形態を示す収納部部分の正面図である。
【図８】図７の断面図である。
【図９】本発明の第４の実施の形態を示す全体正面図である。
【図１０】本発明の第４の実施の形態を示す収納部部分の背面図である。
【図１１】図９のＡ−Ａ拡大断面図である。
【図１２】本発明の第５の実施の形態を示す収納部部分の正面図である。
【図１３】本発明の第５の実施の形態を示す収納部部分の側面図である。
【図１４】本発明の第６の実施の形態を示す収納部部分の正面図である。
【図１５】本発明の第６の実施の形態を示す収納部部分の平面図である。
【図１６】本発明の第７の実施の形態を示す着用具の側面図である。
【図１７】本発明の第７の実施の形態を示す着用具の正面図である。
【図１８】本発明の第８の実施の形態を示す収納部部分の正面図である。
【図１９】図１８のＢ−Ｂ断面図である。
【図２０】本発明の第９の実施の形態を示す全体正面図である。
【符号の説明】
【００６５】
１…送風式の薬剤放散器、２…着用具、３…収納部、４…着用部、５…一側収納部、６…他側収納部、７…ヒンジ、８…一側着用部、９…他側着用部、１０…本体、１０ｂ…薬剤収納室、１１…送風機、１２…薬剤、１３…吸込口、１４…放出口、１５…出口。
【図１】
2007282578.tif 000003
【図２】
2007282578.tif 000004
【図３】
2007282578.tif 000005
【図４】
2007282578.tif 000006
【図５】
2007282578.tif 000007
【図６】
2007282578.tif 000008
【図７】
2007282578.tif 000009
【図８】
2007282578.tif 000010
【図９】
2007282578.tif 000011
【図１０】
2007282578.tif 000012
【図１１】
2007282578.tif 000013
【図１２】
2007282578.tif 000014
【図１３】
2007282578.tif 000015
【図１４】
2007282578.tif 000016
【図１５】
2007282578.tif 000017
【図１６】
2007282578.tif 000018
【図１７】
2007282578.tif 000019
【図１８】
2007282578.tif 000020
【図１９】
2007282578.tif 000021
【図２０】
2007282578.tif 000022